(57)【要約】【課題】  射出成形機の設定・監視業務に支障を来たすことなく、表示画面を有効に活用して、オペレータ間の情報伝達を確実に行なえるようにする。【解決手段】  射出成形機１Ａ〜１Ｎのヒューマンマシンインターフェイスとして機能する表示装置３Ａ〜３Ｎの表示画面を２分割し、このうちの一方の表示画面を専用のメイン画面Ｍとし、他の残りの表示画面を専用のサブ画面Ｓとする。このものにおいて、表示装置３Ａ〜３Ｎの操作パネル４から文字言語を電子データとして入力する。そうすると、表示装置３Ａ〜３Ｎの操作パネルコントローラ５は、入力された文字言語の電子データを記憶する。そして、操作パネル４から文字言語の表示が指令されると、この指令に応じて、操作パネルコントローラ５は、電子データ化されて記憶された文字言語をサブ画面Ｓに表示させる。【選択図】  図１
2004168031.tif 000002
【特許請求の範囲】
【請求項１】
ヒューマンマシンインタフェースとして機能する射出成形機の表示装置において、
文字言語を電子データとして入力する入力手段と、この入力手段により入力された文字言語の電子データを記憶する記憶手段と、文字言語の表示を指令する指令手段と、この指令手段による指令に応じて前記記憶手段により電子データ化されて記憶された文字言語を前記表示画面に表示させる表示制御手段とを具備したことを特徴とする射出成形機の表示装置。
【請求項２】
文字言語の表示時間を設定する時間設定手段と、現時刻を計時する時計手段と、現時刻を表示時間とする文字言語を前記記憶手段に記憶されているデータから検索する検索手段と、この検索手段により現時刻を表示時間とする文字言語を検出するとその文字言語を前記表示画面に表示させる時間表示制御手段とを具備したことを特徴とする請求項１記載の射出成形機の表示装置。
【請求項３】
ヒューマンマシンインタフェースとして機能する射出成形機の表示装置において、
ネットワークを介して転送される電子データ化された文字言語を受信する文字言語受信手段と、この受信手段により受信した文字言語を前記表示画面に表示させる表示制御手段とを具備したことを特徴とする射出成形機の表示装置。
【請求項４】
文字言語を電子データとして入力する入力手段と、この入力手段により入力された文字言語の電子データを前記ネットワークを介して転送する文字言語送信手段とを、さらに具備したことを特徴とする請求項３記載の射出成形機の表示装置。
【請求項５】
前記表示装置の表示画面を複数個に分割し、そのうちの特定の１画面を文字言語表示画面とすることを特徴とする請求項１乃至４のいずれか一に記載の射出成形機の表示装置。
【請求項６】
前記文字言語表示画面は、各種データを選択するための選択ボタンの表示画面と兼用することを特徴とする請求項５記載の射出成形機の表示装置。
【発明の詳細な説明】
【技術分野】
【０００１】
本発明は、射出成形機の成形条件に関する各種の設定やモニタ値を表示する射出成形機の表示装置に関する。
【背景技術】
【０００２】
従来の射出成形機のヒューマンマシンインターフェイスとして機能する表示装置において、表示器の表示画面を２分割して一方をメイン画面とし、他方をサブ画面とする。そして、メイン画面には、該射出成形機の成形条件設定に要する画面表示データ及び該射出成形機からのモニタリングデータ等を表示し、サブ画面には、メイン画面領域と独立して適時表示したいモニタリングデータ等の各種データを表示するようにして、射出成形機の成形条件設定や運転状況の確認が効率よく行なえるようにしたものは、既に知られている（例えば、特許文献１参照）。
【０００３】
ところで、表示装置のオペレータは、その表示装置によって設定・監視している射出成形機に関して重要な事項があったり、業務の引継ぎにより交替するオペレータに伝達すべき事項があったりした場合には、従来は、その事項をメモ用紙に記述して表示装置の枠等にテープで貼り付けておくか、近くの伝言板に記述する等して対処していた。
【０００４】
また、複数台の射出成形機が稼動している工場において、各射出成形機にそれぞれ接続された表示装置のオペレータ同士が連絡を取ろうとした場合、表示装置の前を離れるわけには行かないので、従来は、内線電話を利用するか、他の者に伝言を頼む等して対処していた。若しくは、パソコン通信を利用して電子メールによりオペレータ同士が連絡を取ることも可能であった。
【特許文献１】特開２００１−１４５９４７号公報
【発明の開示】
【発明が解決しようとする課題】
【０００５】
しかしながら、射出成形機に関する重要な事項や交替するオペレータへの伝達事項等をメモ用紙に記述して表示装置の枠等にテープで貼り付けた場合には、テープが剥がれてメモ用紙が紛失してしまうことがある上、テープの痕が汚れやすいという問題があった。また、伝言板を使用する場合には、伝言板が表示装置の近くにないと役に立たないという問題があった。一方、表示装置のオペレータ同士で直接連絡を取るためには、電話やパソコン等の通信機器が別途必要となるという問題があった。
【０００６】
このような問題を解決するために、例えば、表示装置の表示画面に電子化された付箋紙を貼り付けるソフトウェアを使用することが考えられる。この種のソフトウェアのなかには、ネットワークを介して接続された他の表示装置の表示画面に電子化された付箋紙を貼り付けることができるものもあるので、このソフトウェアを利用することによって、オペレータ同士の連絡も可能である。しかし、表示画面の電子化された付箋紙を貼り付けた場合には、この付箋紙によって画面の情報が隠れてしまい、射出成形機の設定・監視業務に支障を来たすおそれがあった。
【０００７】
本発明はこのような事情に基づいてなされたもので、その目的とするところは、射出成形機の設定・監視業務に支障を来たすことなく、表示画面を有効に活用して、オペレータ間の情報伝達を確実に行なうことができる射出成形機の表示装置を提供しようとするものである。
【課題を解決するための手段】
【０００８】
本願第１の発明は、ヒューマンマシンインタフェースとして機能する射出成形機の表示装置において、文字言語を電子データとして入力する入力手段と、この入力手段により入力された文字言語の電子データを記憶する記憶手段と、文字言語の表示を指令する指令手段と、この指令手段による指令に応じて前記記憶手段により電子データ化されて記憶された文字言語を前記表示画面に表示させる表示制御手段とを備えたものである。
【０００９】
この発明において、それぞれ文字言語の表示時間を設定する時間設定手段と、現時刻を計時する時計手段と、現時刻を表示時間とする文字言語を前記記憶手段に記憶されているデータから検索する検索手段と、この検索手段により現時刻を表示時間とする文字言語を検出するとその文字言語を表示画面に表示させる時間表示制御手段とをさらに備えると、好都合である。
【００１０】
本願第２の発明は、前記射出成形機の表示装置において、ネットワークを介して転送される電子データ化された文字言語を受信する文字言語受信手段と、この受信手段により受信した文字言語の電子データを記憶する記憶手段と、文字言語の表示を指令する指令手段と、この指令手段による指令に応じて記憶手段により電子データ化されて記憶された文字言語を表示画面に表示させる表示制御手段とを備えたものである。
【００１１】
この発明において、文字言語を電子データとして入力する入力手段と、この入力手段により入力された文字言語の電子データをネットワークを介して転送する文字言語送信手段とをさらに備えるとよい。
【００１２】
なお、表示画面を複数に分割した場合には、特定の一つの表示画面を文字言語を表示させる文字言語表示画面とすれば良い。
【００１３】
仮に、表示画面をメイン画面とサブ画面に２分割した場合には、そのメイン画面には射出成形機の成形条件に関する各種設定値の設定やモニタリングデータの表示等を行なうための領域として構成し、サブ画面は、当該サブ画面に適時表示したい各種データを選択するための選択ボタンの領域として構成し、このサブ画面に文字言語表示画面を兼用させるようにすることが望ましい。
【発明の効果】
【００１４】
以上詳述したように本発明によれば、射出成形機の設定・監視業務に支障を来たすことなく、表示画面を有効に活用して、オペレータ間の情報伝達を確実に行なうことができる射出成形機の表示装置を提供できる。
【発明を実施するための最良の形態】
【００１５】
以下、本発明の一実施の形態を図面を用いて説明する。
【００１６】
図１は本実施の形態のシステム構成を示すブロック図である。複数台の射出成形機１Ａ，…，１Ｎに対して、それぞれ所定の成形条件により成形加工動作を制御する射出成形機コントローラ２Ａ，…，２Ｎと、ヒューマンマシンインターフェイスとして機能する表示装置３Ａ，…，３Ｎとが設けられている。各表示装置３Ａ〜３Ｎは、いずれも操作パネル４と操作パネルコントローラ５とから構成されている。
【００１７】
操作パネル４には、ＣＲＴディスプレイ，液晶ディスプレイ等の画面表示部を有する表示器６と、複数のキーボタンが配設されたキーボード７とが設けられている。表示器６の画面略全域には、タッチパネルセンサ８が設けられている。その画面は、中央より上方で横方向に２分割されており、下側の広い領域をメイン画面領域Ｍとし、上側の狭い領域をサブ画面領域Ｓとしている。メイン画面領域は、対応する射出成形機１Ａ〜１Ｎの成形条件に関する各種設定値の設定やモニタリングデータの表示等を行なうための領域として構成され、サブ画面領域Ｓは、当該サブ画面に適時表示したい各種データを選択するための選択ボタンの領域として構成されている。
【００１８】
図２は表示器６の一画面例であり、メイン画面領域Ｍには、射出・計量工程稼動時の設定・監視画面が表示されている。サブ画面領域Ｓには、「現在値」，「温度」，「モニタテーブル」，「生産」，「稼動工程」，「設定履歴」，「Ｉ／Ｏモニタ」，「通電率」，「電卓」，「メモ」，「メール」，「非表示」等の種々のサブ画面選択ボタンが表示されている。これらのボタンがタッチ操作されることにより、サブ画面領域Ｓ内に対応する画面が表示されるようになっている。
【００１９】
操作パネル４のキーボード７には、図３に示すように、「型締・押出」、「射出・計量」、「温度」、「生産」、「モニタ」、「診断」、「支援」、「記録」、「画面ガイド」、「アラーム」、「設定」、「表示」の各キーボタンが配設されている。これらのボタンがタッチ操作されることにより、メイン画面領域Ｍに対応する画面が表示されるようになっている。
【００２０】
操作パネルコントローラ５は、対応する射出成形機コントローラ２Ａ〜２Ｎと双方向でデータ通信可能に接続されている。また、各操作パネルコントローラ５は、ＬＡＮ（Local Area Network）９により所定のプロトコルでデータ通信可能に接続されており、ＬＡＮ９にはネットワークサーバ１０が接続されている。ネットワークサーバ１０は、インターネット，電話網等の公衆回線又は専用回線とＬＡＮ９との間の中継機として機能する。
【００２１】
図４は操作パネルコントローラ５の要部構成を示すブロック図であり、各表示装置３Ａ〜３Ｎの操作パネルコントローラ５はいずれも同一構成である。すなわち操作パネルコントローラ５は、ＣＰＵ（Central Processing Unit）等からなる主制御部１１と、ＲＯＭ（Read Only Memory），ＲＡＭ（Random Access Memory）等のメモリ部１２と、現在の日付及び時刻を計時する時計部１３と、ＬＡＮ９を介して行なわれるデータ通信を制御するＬＡＮインタフェース部１４と、対応する射出成形機１Ａ〜１Ｎのコントローラ２Ａ〜２Ｎとの間で行なわれるデータ通信を制御する射出成形機インタフェース部１５と、信号入力部１６と、ＶＲＡＭ（Video Random Access Memory）１７とによって構成されている。主制御部１１には、メモリ部１２，時計部１３，ＬＡＮインタフェース部１４，射出成形機インタフェース部１５，信号入力部１６及びＶＲＡＭ１７が電気的に接続されている。
【００２２】
信号入力部１６には、タッチパネルセンサ８からの信号やキーボード７からの信号が入力される。ＶＲＡＭ１７には、表示器６のメイン画面領域Ｍ及びサブ画面領域Ｓにそれぞれ表示される画面データが格納される。
【００２３】
かかる構成の操作パネルコントローラ５は、タッチ操作されたキーボード７のキーボタンに対応する情報を、射出成形機インタフェース部１５に接続された射出成形機コントローラ２Ａ〜２Ｎに基づいて編集し、表示器６のメイン画面領域Ｍに表示させる。また操作パネルコントローラ５は、タッチ操作されたサブ画面選択ボタンに対応する情報を、表示器６のサブ画面領域Ｓに表示させる。
【００２４】
ここで、特に、サブ画面選択ボタンの「メモ」ボタンＢ１がタッチ操作された場合には、サブ画面領域Ｓに伝言メモが表示される。また、「メール」ボタンＢ２がタッチ操作された場合には、サブ画面領域Ｓに電子メールが表示される。因みに、伝言メモとは、操作パネル４上で電子データとして作成された文字言語を同じ操作パネル４に表示可能としたもので、例えば操作パネル４のオペレータが忘れてはいけない事項を書き留めたり、業務を引き継ぐオペレータに連絡したい事項を書き留めたりする場合に使用される。電子メールとは、操作パネル４上で電子データとして作成された文字言語を、ＬＡＮ９で接続された他の表示装置３Ａ〜３Ｎ若しくはネットワークサーバ１０を介して接続されたパソコン等の通信機器に送信して、操作パネル４等に表示可能としたもので、各射出成形機１Ａ〜１Ｎの表示装置３Ａ〜３Ｎを操作しているオペレータ同士やオペレータとその他の従業員との間で情報交換をする場合などに使用される。
【００２５】
操作パネルコントローラ５には、上記伝言メモ機能及び電子メール機能を実現可能とするために、メモリ部１２に、図５に示すように、メイン画面表示データメモリ２１、サブ画面表示データメモリ２２、表示ポインタＰのカウンタメモリ２３、伝言メモファイル２４、受信メールファイル２５、送信メールファイル２６、メモ件数Ｘのカウンタメモリ２７、受信メール数Ｙのカウンタメモリ２８、送信メール数Ｚのカウンタメモリ２９、削除ログファイル３０、アドレス管理ファイル３１及び従業員管理ファイル３２等の各種メモリエリアが形成されている。
【００２６】
ここで、メイン画面表示データメモリ２１は、表示器６のメイン画面領域Ｍに表示されるメイン画面表示データを記憶したエリアである。サブ画面表示データメモリ２２は、同表示器６のサブ画面領域Ｓに表示されるサブ画面表示データを記憶したエリアである。
【００２７】
伝言メモファイル２４は、図６（ａ）に示すように、１からの連続番号であるレコード番号と、伝言メモの作成日時と、その伝言メモの表示時刻（表示開始時刻）と、伝言メモ本文の各情報からなる伝言メモレコードをレコード番号の昇順に記憶するエリアである。この伝言メモファイル２４に格納されているレコードの総数がカウンタメモリ２７のメモ件数カウンタＸによって計数される。
【００２８】
受信メールファイル２５は、図６（ｂ）に示すように、１からの連続番号であるレコード番号と、受信した電子メールの受信日時と、その電子メールの表示時刻（表示開始時刻）と、その電子メールの送信者，件名及びメール本文の各情報からなる受信メールレコードをレコード番号の昇順に記憶するエリアである。この受信メールファイル２５に格納されているレコードの総数がカウンタメモリ２８の受信メールカウンタＹによって計数される。
【００２９】
送信メールファイル２６は、図６（ｃ）に示すように、１からの連続番号であるレコード番号と、作成した電子メールの作成日時と、その電子メールの送信先アドレスと、その電子メールの表示時刻（表示開始時刻）と、その電子メールの送信者，件名及びメール本文の各情報からなる送信メールレコードをレコード番号の昇順に記憶するエリアである。この送信メールファイル２６に格納されているレコードの総数がカウンタメモリ２９の送信メールカウンタＺによって計数される。
【００３０】
削除ログファイル３０は、前記伝言メモファイル２４，受信メールファイル２５及び送信メールファイル２６から削除された各レコードを保存しておくエリアである。
【００３１】
アドレス管理ファイル３１は、図６（ｄ）に示すように、１からの連続番号であるレコード番号と、各射出成形機１Ａ〜１Ｎ毎に予め割り当てられている射出成形機名と、その射出成形機１Ａ〜１Ｎに対応する操作パネルコントローラ５のＬＡＮインタフェース部１４に予め設定されている固有の通信識別用アドレスであるＭＡＣアドレス及びＩＰアドレスの各情報からなるアドレス管理レコードをレコード番号の昇順に記憶するエリアである。
【００３２】
従業員管理ファイル３２は、図６（ｅ）に示すように、１からの連続番号であるレコード番号と、各従業員毎に予め割り当てられている従業員コードと、その従業員の所属及び氏名の各情報からなる従業員管理レコードをレコード番号の昇順に記憶するエリアである。
【００３３】
しかして、操作パネルコントローラ５の主制御部１１は、表示装置３Ａ〜３Ｎの伝言メモ機能を実現するために、タッチパネルセンサ８から信号入力部１６に入力された信号により表示器６のサブ画面領域Ｓに表示されている「メモ」ボタンＢ１がタッチ操作されたことを検出すると、図７の流れ図に示すメモキー処理を実行するようにプログラムされている。
【００３４】
先ず主制御部１１は、ステップ（以下、ＳＴと略称する）１としてサブ画面表示データメモリ２２からメモ表示画面データを読出し、表示器６のサブ画面領域Ｓに、図１４に示す構成のメモ表示画面４０を表示させる。
【００３５】
メモ表示画面４０は、メモ作成日時や伝言メモ本文が表示されるメモ表示部４１と、作成キー４２、次キー４３、前キー４４及び削除キー４５の各キーによって構成されている。メモ表示部４１は、スクロールバーを操作して長文の伝言メモでもスクロールして見ることができるようになっている。また、メモ表示部４１の右側の「Ｐ／Ｘ」は、メモ表示部４１に表示されている伝言メモが、伝言メモファイル２４に格納されている伝言メモレコードの総数Ｘ（メモ件数カウンタＸの値）のうちＰ番目（表示ポインタＰの値）のレコードの伝言メモであることを示している。
【００３６】
そこで次に、主制御部１１は、ＳＴ２としてメモ件数カウンタＸが“０”より大きいか否かを判断する。ここで、メモ件数カウンタＸが“０”より大きい場合には、ＳＴ３として表示ポインタＰを“１”に設定する。そして、ＳＴ４として伝言メモファイル２４から１番目の伝言メモレコードを読出し、このレコードの作成日時と伝言メモ本文とをメモ表示部４１に表示させる。したがって、操作パネル４のオペレータは、「メモ」ボタンＢ１をタッチ操作することによって、伝言メモファイル２４に格納されている先頭レコードの伝言メモをサブ画面領域Ｓのメモ表示部４１に表示させることができる。
【００３７】
ここに、「メモ」ボタンＢ１は、文字言語の表示を指令する指令手段として機能し、伝言メモファイル２４は、文字言語の電子データを記憶する記憶手段として機能し、主制御部１１は、指令手段による指令に応じて記憶手段により電子データ化されて記憶された文字言語をサブ画面領域Ｓに表示させる表示制御手段として機能する。ここで、文字言語とは、文字を媒介として伝達される言語のことを言う。
【００３８】
なお、ＳＴ２にてメモ件数カウンタＸが“０”の場合には、ＳＴ３及びＳＴ４の処理は行なわない。
【００３９】
次に、主制御部１１は、ＳＴ５としてサブ画面領域Ｓがタッチ操作されるのを待機する。そして、信号入力部１６に入力されたタッチパネルセンサ８からの信号により、サブ画面領域Ｓ内のいずれかの箇所がタッチ操作されたことを検知すると、主制御部１１は、ＳＴ６〜ＳＴ９としてメモ表示画面４０のいずれかのキー４２〜４５がタッチ操作されたのか、それ以外の領域がタッチ操作されたのかを判断する。キー４２〜４５以外の領域がタッチ操作された場合には、主制御部１１は、ＳＴ１０としてサブ画面領域Ｓを図２に示すようなサブ画面選択ボタンの表示画面に戻して、このメモキー処理を終了する。したがって、オペレータは、伝言メモを確認後、キー４２〜４５以外のサブ画面領域Ｓをタッチ操作することによって、伝言メモの表示を終了させることができる。
【００４０】
これに対し、次キー４３がタッチ操作された場合には、主制御部１１は、ＳＴ１１として表示ポインタＰの値がメモ件数カウンタＸの値以上か否かを判断する。そして、表示ポインタＰの値がメモ件数カウンタＸの値より小さい場合には、ＳＴ１２として表示ポインタＰを“１”だけカウントアップした後、ＳＴ４に戻って、伝言メモファイル２４からＰ番目の伝言メモレコードを読出し、このレコードの作成日時と伝言メモ本文とをメモ表示部４１に表示させる。表示ポインタＰの値がメモ件数カウンタＸの値以上の場合には、表示ポインタＰを変化させることなくＳＴ４に戻る。したがって、オペレータは、次キー４３をタッチ操作することによって、伝言メモファイル２４に格納されている伝言メモをメモ表示部４１に昇順（作成日時の新しい順）に順次表示させることができる。
【００４１】
また、前キー４４がタッチ操作された場合には、主制御部１１は、ＳＴ１３として表示ポインタＰの値が“１”以下か否かを判断する。そして、表示ポインタＰの値が“１”より大きい場合には、ＳＴ１４として表示ポインタＰを“１”だけカウントダウンした後、ＳＴ４に戻って、伝言メモファイル２４からＰ番目の伝言メモレコードを読出し、このレコードの作成日時と伝言メモ本文とをメモ表示部４１に表示させる。表示ポインタＰの値が“１”以下の場合には、表示ポインタＰを変化させることなくＳＴ４に戻る。したがって、オペレータは、前キー４４をタッチ操作することによって、伝言メモファイル２４に格納されている伝言メモをメモ表示部４１に降順（作成日時の古い順）に順次表示させることができる。
【００４２】
一方、削除キー４５がタッチ操作された場合には、主制御部１１は、ＳＴ１５として伝言メモファイル２４からＰ番目の伝言メモレコードを削除する。そして、ＳＴ１６として（Ｐ＋１）番目以降の伝言メモレコードを順次上位（番号が小さい方向）へシフトする。しかる後、ＳＴ１７としてメモ件数カウンタＸを“１”だけカウントダウンしたならばＳＴ１８に移動し、メモ件数カウンタＸが“０”より大きいか否かを判断する。このＳＴ１８で「ＹＥＳ」と判定された場合には前述したＳＴ４に移動し、「ＮＯ」と判定された場合には前述したＳＴ５に移動する。したがって、オペレータは、削除キー４５をタッチ操作することによって、メモ表示部４１に表示されている伝言メモのレコードを伝言メモファイル２４から削除することができる。なお、レコード削除後は、そのレコードの次に格納されているレコードの伝言メモがメモ表示部４１に表示される。また、削除された伝言メモレコードは、削除ログファイル３０に保存されるので、後で確認することができる。
【００４３】
また、作成キー４２がタッチ操作された場合には、図８の流れ図に具体的に示す伝言メモ作成処理を実行する。すなわち主制御部１１は、ＳＴ２１として図１５に示す構成の文字入力パネル５０をメイン画面領域Ｍ上に重ねて表示させる。
【００４４】
文字入力パネル５０は、アドレスキー５１，本文キー５２，表示時刻キー５３及び閉じキー５４の各ファンクションキーと、記号，数字，アルファベット等の文字キー５５とから構成されている。文字キー５５は、かなキー５６をタッチ操作することによって、ひらがなの配列に変更される。また、文字入力パネル５０には、文字キー５５の入力情報を表示するための入力情報表示部５７が設けられている。
【００４５】
そこで次に、主制御部１１は、ＳＴ２２〜ＳＴ２５として文字入力パネル５０のいずれかのファンクションキー５１〜５４がタッチ操作されるのを待機する。そして、信号入力部１６に入力されたタッチパネルセンサ８からの信号によりアドレスキー５１がタッチ操作されたことを検知した場合には、後述する送信メール作成処理（図１０）のＳＴ６６にジャンプする。
【００４６】
これに対し、表示時刻キー５３がタッチ操作されたことを検知した場合には、主制御部１１は、ＳＴ２６として表示時刻入力処理を実行する。この処理は、文字キー５５により入力された数字（時：分）を伝言メモの表示開始時刻として取り込む処理である。
【００４７】
また、本文キー５２がタッチ操作されたことを検知した場合には、主制御部１１は、ＳＴ２７として本文入力処理を実行する。この処理は、文字キー５５により入力された文字，数字，記号等を伝言メモの本文として取り込む処理である。
【００４８】
一方、閉じキー５４がタッチ操作されたことを検知した場合には、主制御部１１は、ＳＴ２８として作成日時，表示時刻及びメモ本文からなる伝言メモデータを編集する。作成日時は、時計部１３によって計時されている現在日時である。表示時刻は、ＳＴ２６の表示時刻入力処理によって時刻データが取り込まれている場合にはその時刻であり、取り込まれていない場合には“０”となる。メモ本文は、ＳＴ２７の本文入力処理によって文字情報が取り込まれている場合にはその文字情報であり、文字情報が取り込まれていない場合には、編集エラーとなる。
【００４９】
主制御部１１は、ＳＴ２９として伝言メモデータを編集できたか否かを判断する。ここで、伝言メモデータを編集できた場合には、ＳＴ３０及び３１として伝言メモファイル２４の１番目以降の伝言メモレコードを順次下位（番号が大きい方向）へシフトし、その空いた１番目レコードに今回編集した伝言メモデータを格納する。そして、ＳＴ３２としてメモ件数カウンタＸを“１”だけカウントアップする。伝言メモデータを編集できなかった場合には、ＳＴ３０〜ＳＴ３２の各処理を行なわない。その後、ＳＴ３３として文字入力パネル５０を消去したならば、メモキー処理（図７）のＳＴ２に戻る。
【００５０】
したがって、メモ表示画面４０の作成キー４２をタッチ操作することによって、文字入力パネル５０を利用して伝言メモを電子データとして入力することができる。この伝言メモの伝言メモレコードは伝言メモファイル２４に格納される。伝言メモファイル２４に格納された伝言メモレコードの伝言メモ本文は、サブ画面領域Ｓに表示されているメモ表示画面４０のメモ表示部４１に表示される。したがって、メモ作成者は、メモ表示部４１を見てメモ内容に間違いがないか確認することができる。
【００５１】
ここに、タッチパネルセンサ８は、主制御部１１の伝言メモ作成処理に関連して、文字言語を電子データとして入力する入力手段として機能する。
【００５２】
次に、表示装置３Ａ〜３Ｎの電子メール機能について説明する。
【００５３】
操作パネルコントローラ５の主制御部１１は、タッチパネルセンサ８から信号入力部１６に入力された信号により表示器６のサブ画面領域Ｓに表示されている「メール」ボタンＢ２がタッチ操作されたことを検出すると、図９の流れ図に示すメールキー処理を実行するようにプログラムされている。
【００５４】
先ず主制御部１１は、ＳＴ４１としてサブ画面表示データメモリ２２からメール表示画面データを読出し、表示器６のサブ画面領域Ｓに、図１６に示す構成のメール表示画面６０を表示させる。
【００５５】
メール表示画面６０は、受信メールの受信日時，送信者，件名及びメール本文が表示されるメール表示部６１と、作成キー６２、次キー６３、前キー６４及び削除キー６５の各キーによって構成されている。メール表示部６１は、スクロールバーを操作して長文の伝言メモでもスクロールして見ることができるようになっている。また、メール表示部６１の右側の「Ｐ／Ｙ」は、メール表示部６１に表示されている受信メールが、受信メールファイル２５に格納されている受信メールレコードの総数Ｙ（受信メールカウンタＹの値）のうちＰ番目（表示ポインタＰの値）のレコードの受信メールであることを示している。
【００５６】
そこで次に、主制御部１１は、ＳＴ４２として受信メールカウンタＹが“０”より大きいか否かを判断する。ここで、受信メールカウンタＹが“０”より大きい場合には、ＳＴ４３として表示ポインタＰを“１”に設定する。そして、ＳＴ４４として受信メールファイル２５から１番目の受信メールレコードを読出し、このレコードの受信日時，送信者，件名及びメール本文をメール表示部６１に表示させる。したがって、オペレータは、「メール」ボタンＢ２をタッチ操作することによって、受信メールファイル２５に格納されている先頭レコードの受信メールをサブ画面領域Ｓのメール表示部６１に表示させることができる。
【００５７】
なお、ＳＴ４２にて受信メールカウンタＹが“０”の場合には、ＳＴ４３及びＳＴ４４の処理は行なわない。
【００５８】
次に、主制御部１１は、ＳＴ４５としてサブ画面領域Ｓがタッチ操作されるのを待機する。そして、信号入力部１６に入力されたタッチパネルセンサ８からの信号により、サブ画面領域Ｓ内のいずれかの箇所がタッチ操作されたことを検知すると、主制御部１１は、ＳＴ４６〜ＳＴ４９としてメール表示画面６０のいずれかのキー６２〜６５がタッチ操作されたのか、それ以外の領域がタッチ操作されたのかを判断する。キー６２〜６５以外の領域がタッチ操作された場合には、主制御部１１は、ＳＴ５０としてサブ画面領域Ｓをサブ画面選択ボタンの表示画面に戻して、このメールキー処理を終了する。したがって、オペレータは、キー６２〜６５以外のサブ画面領域Ｓをタッチ操作することによって、受信メールの表示を終了させることができる。
【００５９】
これに対し、次キー６３がタッチ操作された場合には、主制御部１１は、ＳＴ５１として表示ポインタＰの値が受信メールカウンタＹの値以上か否かを判断する。そして、表示ポインタＰの値が受信メールカウンタＹの値より小さい場合には、ＳＴ５２として表示ポインタＰを“１”だけカウントアップした後、ＳＴ４４に戻って、受信メールファイル２５からＰ番目の受信メールレコードを読出し、このレコードの受信日時，メール本文等をメール表示部６１に表示させる。表示ポインタＰの値が受信メールカウンタＹの値以上の場合には、表示ポインタＰを変化させることなくＳＴ４４に戻る。したがって、オペレータは、次キー６３をタッチ操作することによって、受信メールファイル２５に格納されている受信メールをメール表示部６１に昇順（受信日時の新しい順）に順次表示させることができる。
【００６０】
また、前キー６４がタッチ操作された場合には、主制御部１１は、ＳＴ５３として表示ポインタＰの値が“１”以下か否かを判断する。そして、表示ポインタＰの値が“１”より大きい場合には、ＳＴ５４として表示ポインタＰを“１”だけカウントダウンした後、ＳＴ４４に戻って、受信メールファイル２５からＰ番目の受信メールレコードを読出し、このレコードの受信日時，メール本文等をメール表示部６１に表示させる。表示ポインタＰの値が“１”以下の場合には、表示ポインタＰを変化させることなくＳＴ４４に戻る。したがって、オペレータは、前キー６４をタッチ操作することによって、受信メールファイル２５に格納されている受信メールをメール表示部６１に降順（受信日時の古い順）に順次表示させることができる。
【００６１】
一方、削除キー６５がタッチ操作された場合には、主制御部１１は、ＳＴ５５として受信メールファイル２５からＰ番目の受信メールレコードを削除する。そして、ＳＴ５６として（Ｐ＋１）番目以降の受信メールレコードを順次上位（番号が小さい方向）へシフトする。しかる後、ＳＴ５７として受信メールカウンタＹを“１”だけカウントダウンしたならばＳＴ５８に移動し、受信メールカウンタＹが“０”より大きいか否かを判断する。このＳＴ５８で「ＹＥＳ」と判定された場合には前述したＳＴ４４に移動し、「ＮＯ」と判定された場合には前述したＳＴ４５に移動する。したがって、オペレータは、削除キー６５をタッチ操作することによって、メール表示部６１に表示されている受信メールのレコードを受信メールファイル２５から削除することができる。なお、レコード削除後は、そのレコードの次に格納されているレコードの受信メールがメール表示部６１に表示される。
【００６２】
また、作成キー６２がタッチ操作された場合には、図１０の流れ図に具体的に示す送信メール作成処理を実行する。すなわち主制御部１１は、ＳＴ６１として伝言メモ作成処理のＳＴ２１と同様に、文字入力パネル５０をメイン画面領域Ｍ上に重ねて表示させる。
【００６３】
次に、主制御部１１は、ＳＴ６２〜ＳＴ６５として文字入力パネル５０のいずれかのファンクションキー５１〜５４がタッチ操作されるのを待機する。そして、信号入力部１６に入力されたタッチパネルセンサ８からの信号によりアドレスキー５１がタッチ操作されたことを検知した場合には、主制御部１１は、ＳＴ６６〜ＳＴ６８として送信先アドレス入力処理，送信者入力処理及び件名入力処理を実行する。
【００６４】
送信先アドレス入力処理は、アドレス管理ファイル３１によって射出成形機１Ａ〜１Ｎ別に管理されているアドレス情報（ＭＡＣアドレス，ＩＰアドレス）のなかから送信メールの宛先となるアドレス情報を選択入力する処理である。なお、ネットワークサーバ１０を介して接続される他の通信端末のＭＡＣアドレス及びＩＰアドレスや、個人毎に設定されているＥメールアドレスを手入力してもよい。
【００６５】
送信者入力処理は、送信者が文字キー５５により自己の従業員コードを入力することによって、従業員管理ファイル３２に管理されている当該従業員の所属と氏名とを読み出す処理である。件名入力処理は、文字キー５５により入力された文字情報を送信メールの件名として取り込む処理である。
【００６６】
これに対し、表示時刻キー５３がタッチ操作されたことを検知した場合には、主制御部１１は、ＳＴ６９として表示時刻入力処理を実行する。この処理は、文字キー５５により入力された数字（時：分）を送信メールの表示開始時刻として取り込む処理である。
【００６７】
また、本文キー５２がタッチ操作されたことを検知した場合には、主制御部１１は、ＳＴ７０として本文入力処理を実行する。この処理は、文字キー５５により入力された文字，数字，記号等をメールの本文として取り込む処理である。
【００６８】
一方、閉じキー５４がタッチ操作されたことを検知した場合には、主制御部１１は、ＳＴ７１として作成日時，送信先アドレス，表示時刻，送信者，件名及びメール本文からなる送信メールデータを編集する。作成日時は、時計部１３によって計時されている現在日時である。表示時刻は、ＳＴ６９の表示時刻入力処理によって時刻データが取り込まれている場合にはその時刻であり、取り込まれていない場合には“０”となる。送信先アドレス，送信者及び件名は、ＳＴ６６〜ＳＴ６９の各処理によって取得した文字情報であり、メール本文は、ＳＴ７０の本文入力処理によって取得した文字情報である。なお、送信者及び件名は省略できるものの、送信先アドレスとメール本文の文字情報が取り込まれていない場合には、編集エラーとなる。
【００６９】
主制御部１１は、ＳＴ７２として送信メールデータを編集できたか否かを判断する。ここで、送信メールデータを編集できなかった場合には、ＳＴ７３として文字入力パネル５０を消去した後、メールキー処理（図９）のＳＴ４２に戻る。
【００７０】
送信メールデータを編集できた場合には、主制御部１１は、ＳＴ７４及び７５として送信メールファイル２６の１番目以降の送信メールレコードを順次下位（番号が大きい方向）へシフトし、その空いた１番目レコードに今回編集した送信メールデータを格納する。そして、ＳＴ７６として送信メールカウンタＺを“１”だけカウントアップする。したがって、オペレータは、メール表示画面６０の作成キー６２をタッチ操作することによって、文字入力パネル５０を利用して送信メールを電子データとして入力することができる。なお、作成した送信メールのレコードは送信メールファイル２６に格納される。
【００７１】
ここに、タッチパネルセンサ８は、主制御部１１の送信メール作成処理に関連して、文字言語を電子データとして入力する入力手段として機能する。
【００７２】
次に、主制御部１１は、ＳＴ７７として文字入力パネル５０を消去したならば、図１１の流れ図に具体的に示すメール送信処理を行う。先ず、主制御部１１は、ＳＴ８１としてサブ画面表示データメモリ２２からメール送信画面データを読出し、表示器６のサブ画面領域Ｓに、図１７に示す構成のメール送信画面７０を表示させる。
【００７３】
メール送信画面７０は、送信メールの受信日時，送信者，件名及びメール本文が表示されるメール表示部７１と、メール表示画面６０と同様の作成キー７２、次キー７３、前キー７４及び削除キー７５に加えて、送信キー７６が設けられている。メール表示部７１は、スクロールバーを操作して長文の伝言メモでもスクロールして見ることができるようになっている。また、メール表示部７１の右側の「Ｐ／Ｚ」は、メール表示部７１に表示されている送信メールが、送信メールファイル２６に格納されている送信メールレコードの総数Ｚ（送信メールカウンタＺの値）のうちＰ番目（表示ポインタＰの値）のレコードの送信メールであることを示している。
【００７４】
そこで次に、主制御部１１は、ＳＴ８２として表示ポインタＰを“１”に設定する。そして、ＳＴ８３として送信メールファイル２６からＰ番目の送信メールレコードを読出し、このレコードの作成日時，送信者，件名及びメール本文をメール表示部７１に表示させる。したがって、作成した送信メールはメール送信画面７０のメール表示部７１に表示されるので、メール作成者はメール表示部７１を見てメールの内容に間違いがないか確認することができる。
【００７５】
次に、主制御部１１は、ＳＴ８４〜ＳＴ８８としてメール送信画面７０のいずれかのキー７２〜７６がタッチ操作されるのを待機する。ここで、作成キー７２がタッチ操作されたことを検知した場合には、前記送信メール作成処理（図１０）を再び実行する。したがって、オペレータ（メール作成者）は、作成キー７２をタッチ操作することによって、２件目の送信メールを作成可能となる。
【００７６】
これに対し、次キー７３がタッチ操作された場合には、主制御部１１は、ＳＴ８９として表示ポインタＰの値が送信メールカウンタＺの値以上か否かを判断する。そして、表示ポインタＰの値が送信メールカウンタＺの値より小さい場合には、ＳＴ９０として表示ポインタＰを“１”だけカウントアップした後、ＳＴ８３に戻って、送信メールファイル２６からＰ番目の送信メールレコードを読出し、このレコードの作成日時，メール本文等をメール表示部７１に表示させる。表示ポインタＰの値が送信メールカウンタＺの値以上の場合には、表示ポインタＰを変化させることなくＳＴ８３に戻る。したがって、オペレータは、次キー７３をタッチ操作することによって、送信メールファイル２６に格納されている送信メールをメール表示部７１に昇順（作成日時の新しい順）に順次表示させることができる。
【００７７】
また、前キー７４がタッチ操作された場合には、主制御部１１は、ＳＴ９１として表示ポインタＰの値が“１”以下か否かを判断する。そして、表示ポインタＰの値が“１”より大きい場合には、ＳＴ９２として表示ポインタＰを“１”だけカウントダウンした後、ＳＴ８３に戻って、送信メールファイル２６からＰ番目の送信メールレコードを読出し、このレコードの作成日時，メール本文等をメール表示部７１に表示させる。表示ポインタＰの値が“１”以下の場合には、表示ポインタＰを変化させることなくＳＴ８３に戻る。したがって、オペレータは、前キー７４をタッチ操作することによって、送信メールファイル２６に格納されている送信メールをメール表示部７１に降順（作成日時の古い順）に順次表示させることができる。
【００７８】
一方、削除キー７５がタッチ操作された場合には、主制御部１１は、ＳＴ９３として送信メールファイル２６からＰ番目の送信メールレコードを削除する。そして、ＳＴ９４として（Ｐ＋１）番目以降の送信メールレコードを順次上位（番号が小さい方向）へシフトする。次に、主制御部１１は、ＳＴ９５として送信メールカウンタＺを“１”だけカウントダウンする。そして、ＳＴ９６として送信メールカウンタＺが“０”になったか否かを判断する。送信メールカウンタＺが“１”以上の場合にはＳＴ８３に戻る。これに対し、送信メールカウンタＺが“０”になった場合には、送信メールデータが存在しないので、ＳＴ９７としてサブ画面領域Ｓをサブ画面選択ボタンの表示画面に戻して、メールキー処理を終了する。したがって、オペレータは、削除キー７５をタッチ操作することによって、メール表示部７１に表示されている送信メールのレコードを送信メールファイル２６から削除することができる。ここで、送信メールを削除したことによって送信メールレコードがなくなった場合には、メール送信処理が終了する。
【００７９】
また、送信キー７６がタッチ操作された場合には、ＳＴ９８として送信メールファイル２６に格納されている全送信メールレコードをＬＡＮ９を介して他の操作パネルコントローラ５またはネットワークサーバ１０に送信する（文字言語送信手段）。そして、ＳＴ９９として全送信メールレコードの送信を完了すると、ＳＴ１００として送信メールファイル２６に格納されている全送信メールレコードを削除する。また、ＳＴ１０１として送信メールカウンタＺを“０”にリセットする。しかる後、ＳＴ９７としてサブ画面領域Ｓをサブ画面選択ボタンの表示画面に戻して、メールキー処理を終了する。したがって、オペレータは、送信キー７６をタッチ操作することによって、作成した送信メールをＬＡＮ９経由で各部に送信することができる。
【００８０】
なお、受信メールファイル２５及び送信メールファイル２６から削除されたメールレコードは、削除ログファイル３０に保存されるので、後で確認することができる。
【００８１】
また、操作パネルコントローラ５の主制御部１１は、ＬＡＮインタフェース部１４によりＬＡＮ９を介して自己アドレス宛の電子メールデータを受信すると、図１２の流れ図に示す処理を実行するものとなっている。すなわち、主制御部１１は、ＳＴ１１１及び１１２として受信メールファイル２５の１番目以降の受信メールレコードを順次下位（番号が大きい方向）へシフトし、その空いた１番目レコードに今回受信した電子メールデータを格納する。そして、ＳＴ１１３として受信メールカウンタＹを“１”だけカウントアップする。
【００８２】
次に、主制御部１１は、ＳＴ１１４として図１９に示すように、サブ画面領域Ｓに表示されている現画面の上に、メール表示部６１を重ねて表示させる。そして、ＳＴ１１５として表示ポインタＰを“１”に設定した後、ＳＴ１１６として受信メールファイル２５からＰ番目の受信メールレコードを読出し、このレコードの受信日時，送信者，件名及びメール本文をメール表示部６１に表示させる。
【００８３】
その後、主制御部ＳＴ１１７としてサブ画面領域Ｓ内のいずれか１箇所がタッチ操作されるのを待機する。そして、信号入力部１６に入力されたタッチパネルセンサ８からの信号により、サブ画面領域Ｓ内のいずれかの箇所がタッチ操作されたことを検知すると、主制御部１１は、サブ画面領域Ｓからメール表示部６１を削除して、このメール受信処理を終了する。
【００８４】
したがって、他の装置からＬＡＮ９を経由して電子メールが送られてくると、操作パネル４の表示器６におけるサブ画面領域Ｓに、受信メールの受信日時、送信者，件名及びメール本文が即、自動的に表示される。オペレータは、メールを確認した後、サブ画面領域Ｓ内をタッチ操作することによって、サブ画面領域Ｓを元に戻すことができる。
【００８５】
ここに、ＬＡＮインタフェース部１４は、ネットワーク（ＬＡＮ９）を介して転送される電子データ化された文字言語を受信する文字言語受信手段として機能し、主制御部１１は、この受信手段により受信した文字言語をサブ画面領域Ｓに表示させる表示制御手段として機能する。
【００８６】
また、操作パネルコントローラ５の主制御部１１は、例えば時計部１３によって計時される時刻が１分を経過する毎に発生するタイマ割込信号に応動して、図１３の流れ図に示すタイマ割込処理を実行するようにプログラムされている。なお、タイマ割込信号の発声時間は１分に限定されるものではなく、適宜設定変更することができる。
【００８７】
さて、主制御部１１は、割込処理を開始すると、先ず、ＳＴ１２１として計時手段として機能する時計部１３から現在時刻を読込む。
【００８８】
次に、主制御部１１は、ＳＴ１２２として伝言メモファイル２４から表示時刻が現在時刻と一致する伝言メモレコードを検索する（検索手段）。その結果、表示時刻が現在時刻と一致する伝言メモレコードを検出した場合には（ＳＴ１２３のＹＥＳ）、主制御部１１は、ＳＴ１２４として図１８に示すように、サブ画面領域Ｓに表示されている現画面の上に、メモ表示部４１を重ねて表示させ、表示時刻が現在時刻と一致する伝言メモレコードの作成時刻とメモ本文をメモ表示部４１に表示させる（時間表示制御手段）。
【００８９】
その後、主制御部１１は、ＳＴ１２５としてサブ画面領域Ｓ内のいずれか１箇所がタッチ操作されるのを待機する。そして、信号入力部１６に入力されたタッチパネルセンサ８からの信号により、サブ画面領域Ｓ内のいずれかの箇所がタッチ操作されたことを検知すると、主制御部１１は、ＳＴ１２６の処理に進む。なお、表示時刻が現在時刻と一致する伝言メモレコードを検出できなかった場合には（ＳＴ１２３のＮＯ）、直ちに、ＳＴ１２６の処理に進む。
【００９０】
ＳＴ１２６では、主制御部１１は、受信メールファイル２５から表示時刻が現在時刻と一致する受信メールレコードを検索する。その結果、表示時刻が現在時刻と一致する受信メールレコードを検出した場合には（ＳＴ１２７のＹＥＳ）、主制御部１１は、ＳＴ１２８として図１９に示すように、サブ画面領域Ｓに表示されている現画面の上に、メール表示部６１を重ねて表示させ、表示時刻が現在時刻と一致する受信メールレコードの作成時刻とメモ本文をメール表示部６１に表示させる。
【００９１】
その後、主制御部１１は、ＳＴ１２９としてサブ画面領域Ｓ内のいずれか１箇所がタッチ操作されるのを待機する。そして、サブ画面領域Ｓ内のいずれかの箇所がタッチ操作されたことを検知すると、主制御部１１は、ＳＴ１３０の処理に進む。なお、表示時刻が現在時刻と一致する受信メールレコードを検出できなかった場合には（ＳＴ１２７のＮＯ）、直ちに、ＳＴ１３０の処理に進む。
【００９２】
ＳＴ１３０では、主制御部１１は、サブ画面領域Ｓからメモ表示部４１を削除する。以上で、主制御部１１は、このタイマ割込処理を終了する。
【００９３】
したがって、メモ作成者が、操作パネル４の表示器６に表示された文字入力パネル５０を操作して伝言メモを作成する際に、所望する表示時刻を設定しておくことによって、その時刻になると同一操作パネル４の表示器６におけるサブ画面領域Ｓに伝言メモの内容が自動的に表示される。同様に、メール作成者が、メール作成時に所望する表示時刻を設定することによって、その時刻になるとメール送信先の操作パネル４においてサブ画面領域Ｓにメールの内容が自動的に表示される。
【００９４】
例えば、図１８に示した伝言メモの内容は、材料換えを午後５時３０分に行なう予定を示しているが、このメモを当日の午後３時に表示するように表示時刻を設定しておくことによって午後３時になると次の作業工程をオペレータが確実に思い出すので、生産効率を高めることができる。
【００９５】
なお、表示開始時刻だけでなく、表示終了時刻も合わせて設定可能とすることによって、伝言メモや電子メールの指定時刻での自動表示及び自動消去が可能となる。
【００９６】
このように本実施の形態によれば、射出成形機１Ａ〜１Ｎのヒューマンマシンインターフェイスとして機能する表示装置３Ａ〜３Ｎに、操作パネル４上で電子データとして作成された文字言語を同じ操作パネル４に表示可能な伝言メモの機能を搭載したので、その表示装置３Ａ〜３Ｎによって設定・監視している射出成形機１Ａ〜１Ｎに関して重要な事項や、業務の引継ぎにより交替するオペレータに伝達すべき事項等を確実に伝達することができる。
【００９７】
また、同じく各表示装置３Ａ〜３Ｎに、ＬＡＮ９を通じて外部に電子化された文字言語を送信し、かつＬＡＮ９を経由して受信した電子化された文字言語を操作パネル４に表示させる電子メールの機能を搭載したので、各射出成形機１Ａ〜１Ｎにそれぞれ接続された表示装置３Ａ〜３Ｎのオペレータ同士で連絡事項等を確実に伝達することができる。
【００９８】
この場合において、伝言メモの内容や受信メールの内容は、表示器６の各射出成形機１Ａ〜１Ｎの成形条件に関する各種設定値の設定やモニタリングデータの表示等を行なうためのメイン画面領域Ｍではなく、比較的使用頻度が少ない選択ボタン群の画面が表示されたサブ画面領域Ｓに表示されるので、射出成形機１Ａ〜１Ｎの設定・監視業務に支障を来たすおそれは全くない。
【００９９】
ところで、本実施の形態では、図８の伝言メモ作成処理において、文字入力パネル５０のアドレスボタン５１がタッチ操作されると、図１０の送信メール作成処理におけるＳＴ６６の処理にジャンプするようにしている。したがって、伝言メモとして入力した文字言語を、送信先アドレス，送信者，件名などを入力することにより電子メールに変換して、他の表示装置３Ａ〜３Ｎ等に送信することもできる。
【０１００】
なお、前記一実施の形態では、図８の伝言メモ作成処理のＳＴ３０，３１において、伝言メモファイル２４の１番目以降の伝言メモレコードを順次下位（番号が大きい方向）へシフトし、その空いた１番目レコードに今回編集した伝言メモデータを格納し、その後、ＳＴ３２においてメモ件数カウンタＸを“１”だけカウントアップしたが、メモ件数カウンタＸを“１”だけカウントアップした後、伝言メモファイル２４のＸ番目レコードに今回編集した伝言メモデータを格納するようにして、伝言メモレコードのシフト処理を省略してもよい。この場合、図７のメモキー処理のＳＴ３において表示ポインタＰを“１”でなく“Ｘ”に設定することで、今回作成した伝言メモをメモ表示部４１に表示させることができる。なお、この場合には、次キー４３をタッチ操作することによって、伝言メモファイル２４に格納されている伝言メモが作成日時の古い順に順次表示され、前キー４４をタッチ操作することによって、伝言メモファイル２４に格納されている伝言メモが作成日時の新しい順に順次表示される。
【０１０１】
同様に、図１０の送信メール作成処理のＳＴ７４，７５において送信メールファイル２６の１番目以降の送信メールレコードを順次下位（番号が大きい方向）へシフトし、その空いた１番目レコードに今回編集した送信メールデータを格納し、その後、ＳＴ７６において送信メールカウンタＺを“１”だけカウントアップしたが、送信メールカウンタＺを“１”だけカウントアップした後、送信メールファイル２６のＺ番目レコードに今回作成した送信メールデータを格納するようにして、送信メールレコードのシフト処理を省略してもよい。この場合、図９のメールキー処理のＳＴ４３において表示ポインタＰを“１”でなく“Ｚ”に設定することで、今回作成した送信メールをメール表示部７１に表示させることができる。なお、この場合には、次キー４３をタッチ操作することによって、送信メールファイル２６に格納されている送信メールが作成日時の古い順に順次表示され、前キー４４をタッチ操作することによって、送信メールファイル２６に格納されている送信メールが作成日時の新しい順に順次表示される。
【０１０２】
また、図１２の受信メール作成処理のＳＴ１１１，１１２において受信メールファイル２５の１番目以降の受信メールレコードを順次下位（番号が大きい方向）へシフトし、その空いた１番目レコードに今回受信した受信メールデータを格納し、その後、ＳＴ１１３において受信メールカウンタＹを“１”だけカウントアップしたが、受信メールカウンタＹを“１”だけカウントアップした後、受信メールファイル２５のＹ番目レコードに今回受信した受信メールデータを格納するようにして、受信メールレコードのシフト処理を省略してもよい。この場合、ＳＴ１１５において表示ポインタＰを“１”でなく“Ｙ”に設定することで、今回受信した受信メールをメール表示部６１に表示させることができる。
【０１０３】
なお、前記した実施の形態では、表示器６の表示画面を２分割したが、図２０に示すように分割をしなくても良い。この場合に、表示画面に表示される内容については前述した実施の形態で説明したメイン画面Ｍを常時表示し、サブ画面Ｓは要求に応じて別ウインドウで表示する。
【０１０４】
さらに、前記した実施の形態では、表示器６の表示画面を２分割したが、３分割以上の複数分割としても良い。そして、複数分割された表示画面のうち特定の１表示画面を文字言語を表示する文字言語表示画面とすれば良い。
【０１０５】
例えば、図２１に表示器６の表示画面をメイン画面Ｍ、第1のサブ画面Ｓ１、第２のサブ画面Ｓ２とに３分割した例を示す。このように表示画面を３分割した場合に、メイン画面Ｍの表示内容は前述した実施の形態で説明したメイン画面Ｍと同じ表示内容とし、第1のサブ画面Ｓ１の表示内容は前述した実施の形態で説明したサブ画面Ｓと同じ表示内容（文字言語の表示以外）とし、第２のサブ画面Ｓ２を文字言語を表示する特定の表示画面とすれば良い。
【図面の簡単な説明】
【０１０６】
【図１】本発明の一実施の形態におけるシステム構成を示すブロック図。
【図２】同実施の形態における表示器の一画面例を示す模式図。
【図３】同実施の形態におけるキーボードの構成を示す模式図。
【図４】同実施の形態における操作パネルコントローラの要部構成を示すブロック図。
【図５】同操作パネルコントローラのメモリ部に形成される主要なメモリエリアを示す図。
【図６】同メモリ部の各ファイルエリアにそれそれ格納されるレコードの構成を示す図。
【図７】同操作パネルコントローラの主制御部が実行するメモキー処理の要部を示す流れ図。
【図８】同メモキー処理のなかの伝言メモ作成処理を具体的に示す流れ図。
【図９】同操作パネルコントローラの主制御部が実行するメールキー処理の要部を示す流れ図。
【図１０】同メールキー処理のなかの送信メール作成処理を具体的に示す流れ図。
【図１１】同送信メール作成処理のなかのメール送信処理を具体的に示す流れ図。
【図１２】同操作パネルコントローラの主制御部が実行するメール受信処理の要部を示す流れ図。
【図１３】同操作パネルコントローラの主制御部が実行するタイマ割込処理の要部を示す流れ図。
【図１４】メモ表示画面の一例を示す図。
【図１５】文字入力パネルの一例を示す図。
【図１６】メール表示画面の一例を示す図。
【図１７】メール送信画面の一例を示す図。
【図１８】メモ表示部の一表示例を示す図。
【図１９】メール表示部の一表示例を示す図。
【図２０】表示器の表示画面を分割しない例を示す図。
【図２１】表示器の表示画面を３分割した例を示す図。
【符号の説明】
【０１０７】
１Ａ〜１Ｎ…射出成形機
２Ａ〜２Ｎ…射出成形機コントローラ
３Ａ〜３Ｎ…表示装置
４…操作パネル
５…操作パネルコントローラ
６…表示器
７…キーボード
８…タッチパネルセンサ
９…ＬＡＮ
１０…ネットワークサーバ
【図１】
2004168031.tif 000003
【図２】
2004168031.tif 000004
【図３】
2004168031.tif 000005
【図４】
2004168031.tif 000006
【図５】
2004168031.tif 000007
【図６】
2004168031.tif 000008
【図７】
2004168031.tif 000009
【図８】
2004168031.tif 000010
【図９】
2004168031.tif 000011
【図１０】
2004168031.tif 000012
【図１１】
2004168031.tif 000013
【図１２】
2004168031.tif 000014
【図１３】
2004168031.tif 000015
【図１４】
2004168031.tif 000016
【図１５】
2004168031.tif 000017
【図１６】
2004168031.tif 000018
【図１７】
2004168031.tif 000019
【図１８】
2004168031.tif 000020
【図１９】
2004168031.tif 000021
【図２０】
2004168031.tif 000022
【図２１】
2004168031.tif 000023